(57)【特許請求の範囲】
【請求項１】
内容物を充填する容器本体と、この容器本体の口頚部に装着され、注出口を通して容器本体内の内容物を注出する栓体と、この栓体を取り囲んで配置され、該注出口を通して注出された内容物を、注出姿勢を維持したまま塗布面に塗り込む塗布体とを備えた塗布容器であって、
前記塗布体は、該塗布体の先端から該栓体の先端に至るまでの垂直距離を段階的に変更する位置可変機構を有し、
前記位置可変機構は、前記栓体の周りに沿う回動と、該栓体の軸心に沿うスライドとをそれぞれ交互に繰り返すものからなることを特徴とする塗布容器。
【請求項２】
前記位置可変機構は、前記栓体の外周壁に設けられた階段状の溝部と、前記塗布体の内周壁に設けられ、該溝部に沿って移動可能な突起、または、前記塗布体の内周壁に設けられた階段状の溝部と、前記栓体の外周壁に設けられ、該溝部に沿って移動可能な突起からなることを特徴とする請求項１記載の塗布容器。
【請求項３】
前記塗布体は、前記栓体を取り囲むベースと、このベースの天面において起立する複数本の突状部からなることを特徴とする請求項１または２に記載した塗布容器。
【発明の詳細な説明】
【技術分野】
【０００１】
本発明は、内容物を充填した容器につき、該容器から内容物を注出すると同時にブラシの如き塗布体を使って塗布面に塗り込む（マッサージを含む）のに適した塗布容器に関するものである。
【背景技術】
【０００２】
洗浄剤や育毛剤等の液状物を内容物として充填した容器は、内容物を注出すると同時にその内容物を頭皮等の塗布面に塗り込むことができるように、ブラシの如き塗布体を装着したものが多用されており、この点に関しては、特許文献１のような塗布容器が知られている。
【先行技術文献】
【特許文献】
【０００３】
【特許文献１】特許第４５４６１３４号公報
【発明の開示】
【発明が解決しようとする課題】
【０００４】
かかる文献に開示された塗布容器は、具体的には、容器本体から排出された液状物を塗布する塗布部材を、容器本体の口部に保持され容器の内外に通じる通路を備えた中栓と、この中栓の先端に一体的に設けられ該通路につながる注出口を有するノズルと、中栓の通路内に配置され該通路の末端からノズルに至るまでの間にて往復移動可能でかつ、該通路の末端およびノズルの底部に位置してそれぞれ該通路を閉塞するボールと、該ノズルを取り囲んで中栓に固定保持されその頭部でもってノズルの注出口より排出された液状物を塗り込む複数本の塗布体にて構成するものであって、これによれば、構造の簡素化が可能であり、しかも、容器の反転使用時においても液だれがない利点を有しているとされていた。
【０００５】
ところで、この種の容器にあっては、塗布体の長さが一定になっているのが普通であり、とくに、栓体の先端部に設けられた弁体を塗布面に押し付けて内容物を注出する構造のものにあっては、以下に述べるような不具合を有していた。
【０００６】
すなわち、使用者の好みによっては、塗布体を強い力で塗布面に押し当てて内容物を塗布したい場合、あるいは、塗布体を弱い力で塗布面に押し当てて内容物を塗布したい場合があるところ、塗布体の長さが一定（塗布体の先端から注出口に至るまでの垂直距離が常に一定）であると、塗布体の押し当て力が変化したときそれに応じて内容物の注出量（塗布量）が変動することがあった。これにより、例えば、内容物を少量ずつ注出しながら強い力で塗布体を塗布面に押し当てるような使用形態が望まれている場合、使用者の意図するところにかかわりなく比較的大量に内容物が注出されてしまうこともあり（その逆もあり得る）、使い勝手がよいとはいえないところに問題を残している。
【０００７】
本発明の課題は、塗布体の押し当て力の強弱を使用者の好みに応じて適宜調整することが可能であり、なおかつ、適宜調整された塗布体の押し当て力に応じて内容物を定量的に注出することができる塗布容器を提案するところにある。ここに、「定量的」とは、内容物を一定の容量だけ注出する、定量吐出をいうものではなく、注出口から実質的に一定流量となるような操作感のもとで内容物を注出することを意味するものとする。
【課題を解決するための手段】
【０００８】
本発明は、内容物を充填する容器本体と、この容器本体の口頚部に装着され、注出口を通して容器本体内の内容物を注出する栓体と、この栓体を取り囲んで配置され、該注出口を通して注出された内容物を、注出姿勢を維持したまま塗布面に塗り込む塗布体とを備えた塗布容器であって、
前記塗布体は、該塗布体の先端から該栓体の先端に至るまでの垂直距離を段階的に変更する位置可変機構を有し、前記位置可変機構は、前記栓体の周りに沿う回動と、該栓体の軸心に沿うスライドとをそれぞれ交互に繰り返すものからなることを特徴とする塗布容器である。
【０００９】
上記の構成からなる塗布容器において、位置可変機構は、より具体的には、前記栓体の外周壁に設けられた階段状の溝部と、前記塗布体の内周壁に設けられ、該溝部に沿って移動可能な突起、または、前記塗布体の内周壁に設けられた階段状の溝部と、前記栓体の外周壁に設けられ、該溝部に沿って移動可能な突起からなるものを用いるのが好ましい。
【００１０】
また、上記塗布体は、前記栓体を取り囲むベースと、このベースの天面において起立する複数本の突状部からなるものを適用することができる。
【発明の効果】
【００１１】
本発明の塗布容器によれば、塗布体に、塗布体の先端から栓体の先端（注出口）に至るまでの垂直距離を段階的に変更できる位置可変機構を設けたため、塗布体の押し当て力の強弱を使用者の好みに応じて適宜調整することができる。また、適宜調整された押し当て力に応じて内容物を定量的（一定流量）に注出することも可能となる。
【００１２】
また、本発明の塗布容器によれば、塗布体の取り付け位置を変更する位置可変機構を、栓体の周りに沿う回動と、栓体の軸心に沿うスライドとをそれぞれ交互に繰り返すものにて構成すること、より具体的には、栓体の外周壁に設けられた階段状の溝部と、前記塗布体の内周壁に設けられ、該溝部に沿って移動可能な突起で構成するか、または、塗布体の内周壁に設けられた階段状の溝部と、前記栓体の外周壁に設けられ、該溝部に沿って移動可能な突起で構成するようにしたため、比較的簡単な構造でもって塗布体の先端から栓体に至るまでの垂直距離を変更することができる。
【００１３】
さらに、本発明の塗布容器によれば、塗布体を、栓体を取り囲むベースと、このベースの天面において起立する複数本の突状部にて構成するようにしたため、内容物を注出する注出口は、塗布体の内側に位置することとなり、注出口を通して注出された内容物のほぼ全量を塗布体によって塗布面に塗り込むことができる。
【図面の簡単な説明】
【００１４】
【図１】本発明に従う塗布容器の実施の形態を模式的に示した図である。
【図２】図１に示した塗布容器につき、栓体を塗布体とともに取り外した状態を示した図である。
【図３】ロア部材の側面を展開状態で示した図である。
【図４】（ａ）〜（ｄ）は、塗布体の取り付け位置を変更した状態を示した図である。
【図５】本発明に適用可能なレフィル容器の外観（一部断面表示）を示した図である。
【発明を実施するための形態】
【００１５】
以下、図面を用いて本発明をより具体的に説明する。
図１は、本発明に従う塗布容器の実施の形態を模式的に示した図である。なお、この実施の形態では、栓体の注出口に弁体を設け、この弁体を塗布面に押し当てることによって注出口を開放して内容物を注出する塗布容器（合成樹脂製のもの）を例にして説明する。
【００１６】
図における符号１は、内容物を充填する容器本体、２は、容器本体１の口頚部１ａに着脱自在に装着されるベースキャップである。
【００１７】
ベースキャップ２は、容器本体１の口頚部１ａを取り囲むとともにその外周壁に設けられたねじ部に係合可能（アンダーカットによって嵌合するものであってもよい）なねじ部を有する環状周壁２ａと、この環状周壁２ａの上端に一体連結しその中央部に開口２ｂが形成された天板２ｃと、この天板２ｃの上面外縁部に設けられた筒体（外筒）２ｄと、天板２ｃの上面で開口２ｂに沿って設けられた筒体（内筒）２ｅと、天板２ｃの裏面で開口２ｂに沿って設けられ、容器本体１の口頚部１ａ内に挿通可能な垂下筒２ｆから構成されている。
【００１８】
垂下筒２ｆ、筒体２ｅは、その内径がほぼ同等の寸法からなっており、容器本体１内に充填された内容物を注出する際、注出にかかる内容物は、この垂下筒２ｆ、筒体２ｅの内側を通り抜けて後述する栓体に向けて流通する。
【００１９】
また、３は、ベースキャップ２の外周壁の対向位置に設けられ、その下端を容器本体１の肩部に設けられた凹所１ｂに連係させてベースキャップ２の、容器本体１の口頚部１ａからの取り外しを不能とするストッパーである。
【００２０】
このストッパー３は、指当て部Ｐを有する弾性舌片３ａと、この弾性舌片３ａをベースキャップ２の外周壁に一体連結する支持片３ｂからなっており、図２に示すように、指当て部Ｐを通して弾性舌片３ａをベースキャップ２の環状周壁２ａに向けて押し込み、支持片３ｂの端部を支点に該弾性舌片３ａを傾動（弾性変形を伴う傾動であって、弾性舌片３ｂの押し込みを止めると初期状態に戻るもの）させ、その下端を、容器本体１の肩部に設けられた凹所１ｂから抜き出すことによってベースキャップ２の、容器本体１の口頚部１ａからの取り外しを可能としている。
【００２１】
また、４は、ベースキャップ２の上端部に設けられた栓体である。栓体４は、ここでは、ロア部材４ａと、アッパー部材４ｂから構成されるものを例として示してある。
【００２２】
ロア部材４ａは、下向きに開放された環状溝４ａ１を形成する内外二重の筒体４ａ２、４ａ３と、その上部において起立する筒体４ａ４とを備えたもので構成されている。環状溝４ａ１にはベースキャップ２の筒体２ｄが回動不能、かつ引き抜け不能に嵌合している。
【００２３】
また、アッパー部材４ｂは、ロア部材４ａの筒体４ａ４に径方向外側から嵌合して固定、保持される環状の外装体４ｂ１と、この外装体４ｂ１の径方向内側に設けられ、その天面において内容物の注出口ｈを形成するノズルチップ４ｂ２と、外装体４ｂ１の内側においてばね部材Ｓを介して弾性支持され、ノズルチップ４ｂ２の裏側座面に当接して注出口ｈを閉塞する弁体４ｂ３とを備えている。
【００２４】
ここで、ばね部材Ｓは、弁体４ｂ３と一体成形された単一物から構成されるものであってもよいし、該弁体４ｂ３とは別体に構成されるものであってもよく、この点については限定されない。図示の例では、ばね部材Ｓと弁体４ｂ３を一体成形し、ばね部材Ｓの基部を、ロア部材４ａおよび外装体４ｂ１（ノズルチップ４ｂ２）の相互間で挟持して固定したものを示してある。
【００２５】
弁体４ｂ３によって注出口ｈが閉塞されている図１に示すような状態では、弁体４ｂ３の頭部は注出口ｈを通り抜けて外界に露出しており、塗布容器の使用時に、この弁体４ｂ３の頭部を、塗布面に押し付けることによって注出口ｈを開放して内容物を注出することができるようになっている。この弁体４ｂ３は、その押込み量が大きくなるほど内容物の注出量が多くなる。
【００２６】
また、５は、ロア部材４ａに一体的に設けられた中栓である。この中栓５は、ベースキャップ２の筒体２ｅの内周壁にその外周壁が液密状態で接触する筒体５ａと、この筒体５ａの天面壁に起立状態で一体連結する棒状部材５ｂから構成されている。筒体５ａは、ロア部材４ａの筒体４ａ２の内側に設けられた複数のリブの如き部材を介して一体連結しており、筒体５ａの外周壁に設けられた凹所５ｃと、ベースキャップ２の筒体２ｅに形成された切欠き部２ｇとが相互に合致するように配置されている。
【００２７】
中栓５の棒状部材５ｂは、弁体４ｂ３が押し込まれたときにその動きを誘導するとともに弁体４ｂ３が最も押し込まれた状態でその後端（下端）に当接して該弁体４ｂ３の動きを規制する、ガイド兼弁押さえとしての機能を有する。
【００２８】
符号６は、栓体４を取り囲んで配置され、注出口ｈを通して注出された内容物を、注出姿勢を保持したまま（容器本体１そのものを傾動させるか、あるいは反転させるような姿勢）塗布面に塗り込むブラシタイプの塗布体である（塗布体６はドーナツ状を呈するものであるが、図では、断面表示としている）。
【００２９】
塗布体６は、栓体４を取り囲む環状のベース６ａと、このベース６ａの天面において起立する複数本の突状部６ｂからなる。とくに、突状部６ｂについては、内容物を注出すると同時に塗布面に刺激を与えたり、あるいは、マッサージすることができるように適切な硬度に設定された軟質材（ゴムやエラストマー等）にて構成されているのが好ましいが、これに限定されることはない。
【００３０】
また、７は、塗布体６の先端から栓体４の先端（本実施形態では、弁体４ｂ３の先端を栓体４の先端ということとするが、弁体４ｂ３を備えない栓体４を適用する場合には注出口ｈを栓体４の先端とする。）に至るまでの垂直距離Ｌ（図２参照）を段階的に変更する位置可変機構である。この位置可変機構７は、栓体４のロア部材４ａの筒体４ａ３の一部分を展開して図３に示すように、径方向外側に向けて開放された階段状の溝部７ａと、塗布体６のベース６ａの内周壁に設けられ、溝部７ａに沿って移動可能な突起７ｂから構成されるものであって、この位置可変機構７により、塗布体６は、栓体４の周りに沿う回動および栓体４の軸心Ｏに沿うスライドを可能としており、これを交互に繰り返すことによって図４（ａ）〜図４（ｄ）に示すように垂直距離ＬをＬ１〜Ｌ４まで段階的に変更することができるようになっている。
【００３１】
位置可変機構７は、栓体４の対向位置の２箇所に設けることができるが、その数は、適宜変更することが可能であり、２つ設けるものに限定されることはない。また、溝部７ａについては、４段階の切換えを可能とするものを例として示したが、切換え段数についても適宜変更可能できる。なお、この実施例では、位置可変機構７の溝部７ａを、ロア部材４ａの筒体４ａ３に設け、突起７ｂを塗布体６のベース６ａの内周壁に設けた場合について示したが、溝部７ａを塗布体６のベース６ａに設け、突起７ｂをロア部材４ａの筒体４ａ３に設けるようにしてもよい。
【００３２】
さらに、図における符号８（図３参照）は、位置可変機構７の溝部７ａの溝底部に設けられた一対で一組になる凸部である。この凸部８は、突起７ｂが溝部７ａ内を通るとき、それを乗り越えることができる突出代に設定されるものであって、該突起７ｂが凸部８を乗り越える際にクリック感を与えるとともに、凸部８の相互間に突起７ｂが入り込むことによって突起７ｂを、溝部７ａ内で位置決めする。
【００３３】
また、９は、栓体４および塗布体６をその内側に収め、該塗布体６のベース６ａに着脱自在に取付けられる保護カバーである。この保護カバー９は、ねじ止めタイプのもの、あるいはアンダーカット嵌合によるものを適用することができる。
【００３４】
本発明に従う塗布容器は、位置可変機構７によって塗布体６を栓体４の軸心Ｏに沿って移動させ、塗布体６の先端から栓体４の先端に至るまでの垂直距離Ｌを段階的に変更するものであり、これによれば、予め栓体４の位置変更を行っておくことで、塗布体６の押し当て力の強弱を使用者の好みに応じて適宜調整することができるだけでなく、適宜調整された塗布体６の押し当て力に応じて内容物の定量的な注出が行える。これにより、例えば、塗布体６を塗布面に強く押し当ててマッサージを行いながら内容物を少量ずつ塗り込むような使用形態、あるいは、内容物の注出を停止した状態でマッサージを行うような使用形態が望まれる場合等に容易に対応し得る。
【００３５】
また、本発明の塗布容器は、容器本体１として、図５に示すようなレフィル容器を用いることもできる。かかるレフィル容器（使用前の新規な容器）においては、容器本体１の口頚部１ａ内に密封用のシール部材１０が装着されている場合、その付替え時に、ベースキャップ２の垂下筒２ｆによりシール部材１０の隔壁１０ａを簡単に突き破ることが可能（図１、図２参照）であり、容器本体１の付替え作業を簡単に行い得る利点を有している。
【００３６】
また、本発明の塗布容器は、容器本体１を、エアゾール容器とすることもできる。エアゾール容器を容器本体１とする場合には、図示はしないが、栓体４を、エアゾール容器のマウンテンカップの巻締め部分に固定できる取付け構造を備え、その内側にエアゾール容器の中空ステムを収納するカバー体と、該中空ステムの先端部に装着され、カバー体の頂面部から押し込み可能に露出するノズルヘッドとを備えたものにて構成すればよく（塗布体およびその取付け構造については上述した実施の形態と同様とする）、かかる構造においても塗布体の先端からノズルヘッドに至るまでの垂直距離を段階的に変更することが可能となる。
【００３７】
なお、中栓５を構成する筒体５ａには切換え弁としての機能を付与することもできる。例えば、栓体４をベースキャップ２の周りに沿って回動させるか、あるいは容器本体１をベースキャップ２とともに栓体４の周りに沿って回動させて、中栓５の筒体５ａの外周壁を、ベースキャップ２の筒体２ｅに形成した切欠き部２ｇに位置させることで該切欠き部２ｇを閉塞状態に保持することが可能であり、これによれば、容器本体１内に充填された内容物の、栓体４への流通を不能にすることができる。この場合、内容物の注出が可能な状態にあるかどうかを簡単に視認することができるように、ロア部材４ａの筒体４ａ３およびベースキャップ２の環状周壁２ａの外表面に記号あるいは文字等を形成しておくことができる。
【産業上の利用可能性】
【００３８】
本発明によれば、塗布体の押し当て力の強弱を使用者の好みに応じて適宜調整可能で、なおかつ、適宜調整された塗布体の押し当て力に応じて内容物の定量的な注出が行える使い勝手のよい塗布容器が提供できる。
【符号の説明】
【００３９】
１      容器本体
１ａ    口頚部
１ｂ    凹所
２      ベースキャップ
２ａ    環状周壁
２ｂ    開口
２ｃ    天板
２ｄ    筒体
２ｅ    筒体
２ｆ    垂下筒
２ｇ    切欠き部
２ｈ    溝部
３      ストッパー
３ａ    弾性舌片
３ｂ    支持片
４      栓体
４ａ    ロア部材
４ｂ    アッパー部材
５      中栓
５ａ    筒体
５ｂ    棒状部材
５ｃ    凹所
６      塗布体
６ａ    ベース
６ｂ    突状部
７      位置可変機構
７ａ    溝部
７ｂ    突起
８      凸部
９      保護カバー
１０    シール部材
１０ａ  隔壁
ｈ      注出口
Ｓ      ばね部材
Ｐ      指当て部
【図１】
0006385203.tif 000002
【図２】
0006385203.tif 000003
【図３】
0006385203.tif 000004
【図４】
0006385203.tif 000005
【図５】
0006385203.tif 000006